(57)【要約】【課題】  検索条件に基づいて抽出された特許情報を分析表示するマトリクスマップにおいて、各マス目内に書誌的事項を時系列で区画表示可能な特許マップ表示装置を提供する。【解決手段】  少なくとも入力手段と表示手段を有し、入力手段で入力された検索条件に基づいて作成されたマトリクスマップを表示手段に表示し得る特許マップ表示装置であって、マトリクスマップは、抽出された特許情報を分析表示するマス目内に所定の書誌的事項を時系列で区画表示するものであることを特徴とする。前記所定の書誌的事項が予め設定された複数の事項であり、該複数の事項のうち予め設定された所定の事項が識別表示される。【選択図】  図２
2005165862.tif 000002
【特許請求の範囲】
【請求項１】
少なくとも入力手段と表示手段を有し、前記入力手段で入力された検索条件に基づいて作成されたマトリクスマップを前記表示手段に表示し得る特許マップ表示装置であって、
前記マトリクスマップは、抽出された各特許情報を分析表示するマス目内に所定の書誌的事項を時系列で区画表示するものであることを特徴とする特許マップ表示装置。
【請求項２】
前記所定の書誌的事項は、予め設定された複数の事項であり、該複数の事項のうち予め設定された所定の事項が識別表示されることを特徴とする請求項１に記載の特許マップ表示装置。
【請求項３】
前記マトリクスマップは、その各マス目内に書誌的事項が件数に応じて時系列で区画表示されると共に、各マス目の表示領域が件数に応じて調整されることを特徴とする請求項１または２に記載の特許マップ表示装置。
【発明の詳細な説明】
【技術分野】
【０００１】
本発明は、特許情報群の中から所定の検索条件に基づいて抽出された特許情報の書誌的事項を、所定の形態でマトリクスマップ上に区画表示し得る特許マップ表示装置に関する。
【背景技術】
【０００２】
一般的に、特許庁から発行されるＣＤ−ＲＯＭ特許公報等の特許情報を分析する場合、特許情報群の中から、所定の検索式等に基づいて対象特許情報を抽出すると共に、この抽出した対象特許情報に基づいて作成された各種の特許マップを画面上に表示する特許マップ表示装置が使用されている。
【０００３】
従来、この特許マップ表示装置で表示される特許マップのうち、マトリクスマップとしては、例えば図５に示すように、縦軸にＩＰＣ分類を指定すると共に横軸にキーワードを指定し、各マス目１０１ａ内に縦軸のＩＰＣ分類と横軸のキーワードをＡＮＤ検索した集計結果である出願件数が、円１０２の大きさ（面積）で表示されるものが使用されている。なお、この種の特許文献としては、例えば特許文献１及び特許文献２に開示のものが知られている。
【特許文献１】特開平８−２２１４３５号公報
【特許文献２】特開２００２−１７５３１４号公報
【発明の開示】
【発明が解決しようとする課題】
【０００４】
しかしながら、このような特許マップにおいては、マトリクスマップ１０１の各マス目１０１ａに、縦軸のＩＰＣ分類と横軸のキーワードに対応した出願件数が円１０２として表示されるのみであるため、単純な一対一の検索項目の組み合わせからなる技術内容の件数把握しかできない。そのため、件数として計数された個々の特許情報の書誌的事項等の確認は、該当するマス目をクリックして出願番号（あるいは公開番号等）の一覧を表示させ、さらにその一覧から該当番号をクリックすることで、該当特許情報のその他の書誌的事項等が確認されるようになっているが、この確認作業が非常に面倒となる。
【０００５】
本発明は、このような事情に鑑みてなされたもので、その目的は、検索条件に基づいて抽出された特許情報を分析表示するマトリクスマップにおいて、各マス目内に書誌的事項を時系列で区画表示可能な特許マップ表示装置を提供することにある。
【課題を解決するための手段】
【０００６】
かかる目的を達成すべく、本発明のうち請求項１に記載の発明は、少なくとも入力手段と表示手段を有し、前記入力手段で入力された検索条件に基づいて作成されたマトリクスマップを前記表示手段に表示し得る特許マップ表示装置であって、前記マトリクスマップは、抽出された各特許情報を分析表示するマス目内に所定の書誌的事項を時系列で区画表示するものであることを特徴とする。
【０００７】
また、請求項２に記載の発明は、前記所定の書誌的事項が、予め設定された複数の事項であり、該複数の事項のうち予め設定された所定の事項が識別表示されることを特徴とする。また、請求項３に記載の発明は、前記マトリクスマップが、その各マス目内に書誌的事項が件数に応じて時系列で区画表示されると共に、各マス目の表示領域が件数に応じて調整されることを特徴とする。
【発明の効果】
【０００８】
請求項１に記載の発明によれば、マトリクスマップ上に、検索条件に基づいて抽出された各特許出願の所定の書誌的事項が、例えば出願日・公開日順等の時系列で区画表示されるため、複雑な操作をすることなく、各特許出願の前後関係が理解できると共に、表示される書誌的事項により書誌的概要と件数とを一目で把握できて、特許情報の分析作業の能率向上や分析結果の信頼性向上等を図ることができる。
【０００９】
また、請求項２に記載に発明によれば、請求項１に記載の発明の効果に加え、マトリクスマップ上に表示される書誌的事項の内容や識別表示する内容を予め分析者が入力設定できるため、分析作業に最も効率的な書誌的事項を選択してマトリクスマップ上に識別表示でき、分析作業の一層の能率向上等を図ることができる。
【００１０】
さらに、請求項３に記載の発明によれば、請求項１または２に記載の発明の効果に加え、マトリクスマップの各マス目を区画して各マス目内に書誌的事項が時系列で表示されるため、マス目内に表示される書誌的事項の数（区画数）によって、一目で把握することができる件数を設定できると共に、各マス目の表示領域（表示面積）が件数に応じて調整されるため、マトリクスマップを見易い状態で表示することができる。
【発明を実施するための最良の形態】
【００１１】
以下、本発明の実施の形態を図面に基づいて詳細に説明する。
図１〜図３は、本発明に係わる特許マップ表示装置を例えばパソコンを使用して構築した場合の一実施形態を示し、図１がそのブロック図、図２がマトリクスマップの表示状態の説明図、図３が表示方法の説明図である。
【００１２】
図１において、特許マップ表示装置１は、ＣＰＵ３、ＲＡＭ４、ＲＯＭ５及びＩ／Ｏ６等がバスライン７を介して接続された制御装置２を有し、この制御装置２のＩ／Ｏ６の入力側には、入力手段としてのキーボード８及びマウス９と、ＭＯドライブ等を含むＣＤ−ＲＯＭ等ドライブ１０が接続され、Ｉ／Ｏ６の出力側には、表示手段としてのＣＲＴ（液晶ディスプレイを含む）からなる表示器１１と、プリンタ１２等が接続されている。
【００１３】
この特許マップ表示装置１は、ＣＤ−ＲＯＭ等ドライブ１０で予め読み込まれて制御装置２のＲＯＭ５に記憶されているプログラムに基づいて、ＣＤ−ＲＯＭ等ドライブ１０にセットされている例えばＣＤ−ＲＯＭ特許公報の特許情報が、キーボード８やマウス９で入力された検索項目等の条件に基づいて検索（抽出）される。そして、この抽出された各種特許情報が、制御装置２のＣＰＵ３に読み込まれてデータ集計されて後述する特許マップが作成され、この特許マップが表示器１１に出力されてその画面１１ａに表示されたり、あるいはプリンタ１２で印刷されるようになっている。
【００１４】
図２は、この特許マップ表示装置１で作成された特許マップの具体的な表示状態を示しており、以下、これについて説明する。先ず、特許マップの作成・表示にあたっては、前記プログラムに基づき表示器１１上に表示される所定の入力画面によって、特許マップを作成する際に必要な、特許マップの形態、縦軸や横軸の指定項目（検索項目）、表示すべき書誌的事項、識別表示する着目事項、時系列の基準（日付、番号）等の各種条件が入力設定される。
【００１５】
この時、入力画面に設けられた図示しない書誌的事項入力欄は、複数の書誌的事項と識別表示の有無（着目事項か否か）等が直接入力もしくは選択入力され得るようになっており、この書誌的事項入力欄により、特許マップ上に指定した書誌的事項が後述する如く区画表示されることになる。なお、書誌的事項としては、特許公報に記載されている出願番号、公開番号、登録番号、出願日、出願人、発明者、発明の名称、分類、キーワード等の各種事項が上げられる。
【００１６】
そして、表示器１１の入力画面で所定入力を完了し、同入力画面に設けられた作成表示キー（図示せず）をクリックすると、前記制御装置２によって入力条件に対応した対象特許情報が抽出され、指定された特許マップの形態がマトリクスマップの場合は、例えば図２に示すようなマトリクスマップ１３が作成されて、表示器１１の画面１１ａ上に表示される。
【００１７】
すなわち、マトリクスマップ１３は、縦軸としてＩＰＣ分類（ＩＰＣ（ａ）・・）が検索項目として指定され、横軸としてキーワード（ＫＷ（ア）・・）が検索項目として指定される。そして、縦軸と横軸の各検索項目が同時に含まれる（ＡＮＤ検索した）特許出願の指定した書誌的事項が、対応するマス目１３ａ内に表示される。この時、各マス目１３ａ内には、抽出された個々の特許出願の指定した書誌的事項が、図２に拡大して示すように、複数（図では４個の場合を示す）の各区画１４内に一出願毎にそれぞれ表示され、この書誌的事項が表示された区画１４の数が出願件数に対応していることになる。
【００１８】
なお、各区画１４内には、例えば図２に示すように、出願番号表示欄１４ａに当該特許出願の出願番号が表示され、出願日表示欄１４ｂにはその出願日が、発明の名称表示欄１４ｃには発明の名称が、また出願人表示欄１４ｄには出願人名が表示される。また、抽出された特許情報の件数が０のマス目１３ａ内の各区画１４は何等表示されずに空白状態とされ、抽出された件数が区画１４の数以下の場合は、予め設定された時系列の順番にしたがって所定の区画１４内に順に表示される。この複数の区画１４内への表示は、例えば図３に示すように各マス目１３ａ内が１０区画に区画されている場合は、図３（ａ）に示すように、左側上部から、例えば出願日順を示すアルファベット順に、右側下部に向けて縦方向に表示されるか、あるいは図３（ｂ）に示すように、左側上部から右側下部に向けてアルファベット順に横方向に表示される。
【００１９】
そして、図２に示すように各区画１４内に時系列で表示された書誌的事項のうち、例えば出願人が識別表示事項として指定されると、出願人表示欄１４ｄの色が他の表示欄１４ａ〜１４ｃと異なる色で表示されて、各マス目１３ａ内で目立つ状態となる。したがって、多数のマス目１３ａの中で所定色で表示されているマス目１３ａに着目することで、指定した出願人の特許出願状況が一目で把握できることになる。なお、このマトリクスマップ１３の場合、各マス目１３ａの区画１４を所定クリックすることにより、表示されていない書誌的事項やその他の情報が表示されるようになっており、これを使用することで特許情報のより詳細な分析が可能となる。
【００２０】
ところで、以上の説明においては、マトリクスマップ１３の各マス目１３ａ内を所定数の区画１４に区画した場合について説明したが、各マス目１３ａ内の区画１４の数を例えば図４に示すように、抽出された件数に応じて調整（増減）するようにしても良い。すなわち、図４に示すように、マトリクスマップ１３の例えばマス目１３ａ−１の件数が６件の場合、同じ横軸の１件抽出されたマス目１３ａ−２は６個の左側の区画の数である３個の区画数が設定されて、その最上部の区画１４内に該当特許情報の書誌的事項が表示される。また、１件抽出されたマス目１３ａ−３の場合、横軸方向は同軸上のマス目１３ａ−４の区画数（２個）を使用し、縦軸方向は同軸上のマス目１３ａ−１の区画数（２個）を使用して、４個の区画数としその左側上部の区画１４内に該当特許情報の書誌的事項が表示される。
【００２１】
つまり、縦軸と横軸の各検索項目毎の最大件数のマス目１３ａの区画１４の数を、縦軸と横軸にそれぞれ基準として使用することで、区画１４の数を一定にした場合の件数０で何も表示されない面積を小さくしつつ各特許情報をできるだけ大きく表示できることになり、マトリクスマップ１３自体を見易くすることができる。なお、この区画１４の数の増減は、縦横の各軸毎の最大件数に基づく増減に限らず、マトリクスマップ１３中の全てのマス目１３ａの中の最大件数を有する一つのマス目１３ａを基準にして行うことも勿論可能である。
【００２２】
このように、上記実施形態の特許マップ表示装置１によれば、マトリクスマップ１３の各マス目１３ａが所定数の区画１４に区画されると共に、各区画１４内に抽出された特許情報の所定の書誌的事項が出願日順等の時系列で表示されるため、各マス目１３ａに表示される区画１４の数で出願件数が把握できると共に、区画１４内に表示される所定の書誌的事項により該当特許情報の書誌的事項を把握できる、すなわちマトリクスマップ１３上で件数と書誌的事項の両方を同時に把握することができる。
【００２３】
また、書誌的事項が各マス目１３ａの区画１４内に所定の表示形態で表示されるため、個々の特許情報の所望の書誌的事項を一目で明瞭に把握することができると共に、書誌的事項の指定した事項が色表示等により識別表示されるため、マトリクスマップ１３上で着目する指定事項（着目事項）の特許情報も明瞭に把握でき、例えば技術分野毎の分布状態等を一目で把握することが可能となる。また、書誌的事項の指定事項や識別事項を入力設定するだけで、書誌的事項を表示し得るマトリクスマップ１３が自動的に作成表示されるため、従来のような手作業や何回もマクリクスマップを作成表示させる必要がなくなり、これらにより、特許情報の分析作業の能率向上と分析結果の信頼性向上を同時に図ること等が可能となる。
【００２４】
また、マトリクスマップ１３の各マス目１３ａの区画１４の数を最大件数のマス目１３ａに基づき増減させて調整するようにすれば、マトリクスマップ１３の空白部分をできるだけ小さくすることができて、見易いマトリクスマップ１３を容易に得ることが可能になると共に、区画１４の数の調整を自動的に行うことができて、操作性と使い勝手に優れた特許マップ表示装置１を得ることが可能となる。
【００２５】
なお、上記実施形態においては、縦軸や横軸に一つの検索項目を指定したが、例えば各軸に複数の検索項目からなる検索式を指定しても良いし、検索項目として上記例以外の適宜の項目等を指定したり、書誌的事項に代表図面を含めることもできるし、時系列の基準としては、出願日の他に公開日、登録日等の日付を使用しても良いし、出願番号、公開番号、登録番号等の番号を使用することもできる。
【図面の簡単な説明】
【００２６】
【図１】本発明に係わる特許マップ表示装置の一例を示すブロック図
【図２】同マトリクスマップの表示状態の説明図
【図３】同その表示方法の説明図
【図４】同表示状態の変形例を示す説明図
【図５】従来のマトリクスマップの表示状態の説明図
【符号の説明】
【００２７】
１：特許マップ表示装置
２：制御装置
３：ＣＰＵ
４：ＲＡＭ
５：ＲＯＭ
７：Ｉ／Ｏ
８：キーボード
９：マウス
１０：ＣＤ−ＲＯＭ等ドライブ
１１：表示器
１１ａ：画面
１３：マトリクスマスマップ
１３ａ：マス目
１４：区画
１４ａ：出願番号表示欄
１４ｂ：出願日表示欄
１４ｃ：発明の名称表示欄
１４ｄ：出願人表示欄 
【図１】
2005165862.tif 000003
【図２】
2005165862.tif 000004
【図３】
2005165862.tif 000005
【図４】
2005165862.tif 000006
【図５】
2005165862.tif 000007